(57)【要約】      （修正有）【課題】有ってはならない薬剤の取り間違いを防ぐ薬剤収納システムを提供する。【解決手段】薬収納ボックスと薬剤保管場所と、レセプトコンピュータと、制御システム、スイッチコントローラー、ランプと消灯スイッチ、電流検知部からなる薬剤収納システムにおいて、薬剤保管場所Ｄｉは、ランプＬｉと消灯スイッチＳ’ｉを有してなり、レセプトコンピュータと制御システム、及び制御システムとスイッチコントローラーは、信号線で接続されており、ＯＮ−ＯＦＦスイッチＳｉ、電源Ｅｉ、ランプＬｉ、及び消灯スイッチＳ’ｉが電線ｌｉで接続されており、レセプトコンピュータから送信された処方内容情報を受信部で受け取り、受け取った処方内容情報はＣＰＵ部に送信され、薬剤情報に対応するランプを照合探索し、照合探索したランプに対応するＯＮ−ＯＦＦスイッチをＯＮにすべき旨の情報をスイッチコントローラーへ送信し、ランプを点灯させることを特徴とする。【選択図】図３
0003148358.tif 000002
【実用新案登録請求の範囲】
【請求項１】
薬収納ボックスと薬剤保管場所Ｄ１、…Ｄｉ、…、Ｄｎｎと、レセプトコンピュータと、制御システム、ＯＮ−ＯＦＦスイッチＳ１、…Ｓｉ、…、Ｓｎｎを有するスイッチコントローラー、ランプＬ１、…Ｌｉ、…、Ｌｎｎと消灯スイッチＳ’１、…Ｓ’ｉ、…、Ｓ’ｎｎ、電流検知部Ｄ１、…Ｄｉ、…、Ｄｎｎからなる薬剤収納システムにおいて、薬剤保管場所Ｄｉは、ランプＬｉと消灯スイッチＳ’ｉを有してなり、レセプトコンピュータと制御システム、及び制御システムとスイッチコントローラーは、信号線で接続されており、ＯＮ−ＯＦＦスイッチＳｉ、電源Ｅｉ、ランプＬｉ、及び消灯スイッチＳ’ｉが電線ｌｉで接続されており、制御システムは、第一受信部、第二受信部、ＣＰＵ部、スイッチコントローラー、電流検知部からなり、レセプトコンピュータから送信された処方内容情報を第一受信部で受け取り、第一受信部で受け取った処方内容情報はＣＰＵ部に送信され、ＣＰＵ部において、薬剤情報Ｍ１、…、Ｍｉ、…Ｍｎが対応するランプＬＭ１、…、ＬＭｉ、…ＬＭｎを照合探索し、照合探索したランプＬＭ１、…、ＬＭｉ、…ＬＭｎに対応するＯＮ−ＯＦＦスイッチＳＭ１、…、ＳＭｉ、…ＳＭｎをＯＮにすべき旨の情報をスイッチコントローラーへ送信し、スイッチコントローラーは、ランプＬＭ１、…、ＬＭｉ、…ＬＭｎを点灯させることを特徴とする薬剤収納システム。
ここに、
（１）ｎｎは、薬剤保管場所の総数（自然数）であり、ｎは、患者Ｐｊに処方する薬剤の数（自然数）である。
（２）ｉ＝１、２、……、ｎｎ（自然数）、ｊ＝１、２、……、ｎ（自然数）
（３）処方内容情報は、患者情報Ｐｊと、薬剤情報Ｍ１、…、Ｍｉ、…Ｍｎとからなる。
【請求項２】
消灯スイッチＳ’１、…Ｓ’ｉ、…、Ｓ’ｎｎは、自己復旧型スイッチであることを特徴とする請求項１に記載された薬剤収納システム。
【請求項３】
（Ａ）電線ｌ１、…ｌｉ、…、ｌｎｎに流れる電流を検出する電流検知部ＤＴ１、…ＤＴｉ、…、ＤＴｎｎは、第二受信部と信号線で接続され、電流検知部ＤＴ１、…ＤＴｉ、…、ＤＴｎｎから送信された電流情報ＩＩ１、…ＩＩｉ、…、ＩＩｎｎを第二受信部で受け取り、第二受信部で受け取った電流情報ＩＩ１、…ＩＩｉ、…、ＩＩｎｎはＣＰＵ部に送信され、電流情報ＩＩ１０、…ＩＩｉ０、…、ＩＩｎｎ０として、記憶部に記憶され、次いで、
（Ｂ）電線ｌ１、…ｌｉ、…、ｌｎｎに流れる電流を検出する電流検知部ＤＴ１、…ＤＴｉ、…、ＤＴｎｎは、第二受信部と信号線で接続され、電流検知部ＤＴ１、…ＤＴｉ、…、ＤＴｎｎから送信された電流情報ＩＩ１、…ＩＩｉ、…、ＩＩｎｎを第二受信部で受け取り、第二受信部で受け取った電流情報ＩＩ１、…ＩＩｉ、…、ＩＩｎｎはＣＰＵ部に送信され、ＩＩｉ０がＯＮ情報で、ＩＩｉがＯＦＦ情報となったＯＮ−ＯＦＦスイッチＳｉを照合検索し、ＯＮ−ＯＦＦスイッチＳｉをＯＮからＯＦＦにし、電流情報ＩＩ１、…ＩＩｉ、…、ＩＩｎｎはＣＰＵ部に送信され、ＩＩ１０、…ＩＩｉ０、…、ＩＩｎｎ０として、記憶部に記憶され、
（Ｃ）以下（Ｂ）の作業を繰り返すことを特徴とする請求項１〜２のいずれかに記載の薬剤収納システム。
ここに、
（１）ｎｎは、薬剤保管場所の総数（自然数）であり、ｎは、患者Ｐｊに処方する薬剤の数（自然数）である。
（２）ｉ＝１、２、……、ｎｎ（自然数）、ｊ＝１、２、……、ｎ（自然数）
（３）処方内容情報は、患者情報Ｐｊと、薬剤情報Ｍ１、…、Ｍｉ、…Ｍｎとからなる。
（４）電流情報ＩＩｉは、電流Ｉｉが流れていればＯＮ情報を、電流Ｉｉが流れていなければＯＦＦ情報を与えられる。
【請求項４】
薬剤保管場所が引き出しの場合、ＯＮ−ＯＦＦスイッチＳｉが、引き出しの奥板部に設けたプラグと、電線Ｉｉに設けられたコンセントから構成されるスイッチであることを特徴とする請求項１〜３のいずれかに記載の薬剤収納システム。
【請求項５】
第一受信部で受け取った処方内容情報はＣＰＵ部に送信され、ＣＰＵ部において、患者情報Ｐｊの患者氏名情報を読み取り、表示部へ送信して、表示部で、患者氏名情報を表示させることを特徴とする請求項１〜４のいずれかに記載の薬剤収納システム。
【請求項６】
ＣＰＵ部において、電流情報ＩＩ１０、…ＩＩｉ０、…、ＩＩｎｎ０の中で、何れか一つがＯＮ情報であり、電流情報ＩＩ１、…ＩＩｉ、…、ＩＩｎｎの全てがＯＦＦ情報となった場合には、表示部で表示された患者氏名を表示しないようにすることを特徴とする請求項１〜５のいずれかに記載の薬剤収納システム。
【請求項７】
薬剤収納システムを使用開始する際に、ＣＰＵ部において、電流情報ＩＩ１０、…ＩＩｉ０、…、ＩＩｎｎ０の全て、電流情報ＩＩ１、…ＩＩｉ、…、ＩＩｎｎの全てをＯＦＦ情報に設定し、かつ、ＯＮ−ＯＦＦスイッチＳ１、…Ｓｉ、…、Ｓｎｎの全てをＯＦＦにすることを特徴とする請求項１〜６のいずれかに記載の薬剤収納システム。
【請求項８】
第一受信部で受け取った処方内容情報はＣＰＵ部に送信され、ＣＰＵ部において、処方内容情報のスキップ命令を読み取り、スキップ命令が有る場合、電流情報ＩＩ１０、…ＩＩｉ０、…、ＩＩｎｎ０の全て、電流情報ＩＩ１、…ＩＩｉ、…、ＩＩｎｎの全てをＯＦＦ情報に設定し、かつ、ＯＮ−ＯＦＦスイッチＳ１、…Ｓｉ、…、Ｓｎｎの全てをＯＦＦにすると共に、次の処方内容情報をレセプトコンピュータから第一受信部へ送信することを特徴とする請求項１〜７のいずれかに記載の薬剤収納システム。
【考案の詳細な説明】
【技術分野】
【０００１】
本考案は、ランプを備えた薬剤収納システムに関する。
【背景技術】
【０００２】
従来、薬局の薬棚（本考案の「薬収納ボックス」に相当する。）は、図１のように薬剤名を記載した薬剤保管場所（例えば、箱型のボックス棚、引き出し等）から構成されている。
【０００３】
したがって、薬剤を取り出す際には、薬剤保管場所に記載してある薬剤名を確認して取り出している。
【０００４】
しかし、上記の従来技術には、以下のような技術上の欠点を有していた。
（１）薬剤名を確認するだけで薬剤保管場所から薬剤を取り出しているので、例えば「アムロジン（登録商標．大日本住友製薬株式会社）２．５ｍｇ錠」と「アムロジン（登録商標．大日本住友製薬株式会社）５ｍｇ錠」のように薬剤名が同じでも成分含有量の違う薬剤の取り間違いを起こすおそれが有る。
（２）薬剤を取り出した後、患者に渡すまでの間に数人で確認作業を行っていることから、それに要する手間も時間も掛かっている。
【０００５】
何よりも有ってはならない薬剤の取り間違いを防ぐ薬剤収納システムの提供が期待されていた。
【０００６】
さらに、現状の余分な人手や時間の削減を図ることが可能な薬剤収納システムの提供が期待されていた。
【考案の開示】
【考案が解決しようとする課題】
【０００７】
○本考案が解決しようとする第１課題（考案の第１の課題）
本考案が解決しようとする第１の課題は、何よりも有ってはならない薬剤の取り間違いを防ぐ薬剤収納システムを提供することにある。
○本考案が解決しようとする第２の課題（考案の第２の課題）
本考案が解決しようとする第２の課題は、現状の余分な人手や時間の削減を図ることが可能な薬剤収納システムを提供することにある。
【課題を解決するための手段】
【０００８】
本考案者は、上記の従来技術及び市販製品が有する各種の問題点に鑑み、鋭意検討を重ねて、本考案を完成したものである。
＜用語の説明＞
本考案の解釈上の疑義を解消すべく、実用新案登録請求の範囲、明細書、図面等に記載された用語を、以下の通り説明する。
○ランプとは、発光器具をいう。例えば、白熱電灯、放電ランプ、ＬＥＤランプが含まれる。
○ＬＥＤランプとは、順方向に電圧を加えた際に発光する半導体素子（発光ダイオード）を利用したランプをいう。発光ダイオードは、ＬＥＤ  （エルイーディー：Ｌｉｇｈｔ  Ｅｍｉｔｔｉｎｇ  Ｄｉｏｄｅ）とも呼ばれ、発光原理はエレクトロルミネセンス（ＥＬ）効果を利用している。有機ＥＬ（Ｏｒｇａｎｉｃ  ｌｉｇｈｔ−ｅｍｉｔｔｉｎｇ  ｄｉｏｄｅｓ  （ＯＬＥＤｓ））も分類上はＬＥＤに含まれる。
○レセプトコンピュータとは、レセプト（診療報酬明細書）を作成するコンピュータのことをいう。一般的にはレセコンとも略される。
○制御システムとは、第一受信部、第二受信部、ＣＰＵ部、記憶部、表示部、スイッチコントローラー、電流検知部から構成されている。
○スイッチコントローラーは、ＯＮ−ＯＦＦスイッチＳ１、Ｓ２、……Ｓｎｎを有してなり、制御システムの第二受信部とは信号線で接続されている。
○電線Ｉｉは、ＯＮ−ＯＦＦスイッチＳｉ、ランプＬｉと消灯スイッチＳ’ｉを接続している。
【０００９】
ここに、図３で示す電線Ｉｉは、行きと還りの２本線であるが、便宜上１本線で表している。
○処方内容情報は、患者情報Ｐｊと、薬剤情報Ｍ１、…、Ｍｉ、…Ｍｎとからなる。患者情報Ｐｊは、患者の氏名等の情報である。処方内容情報には、スキップ情報も含まれる。
○スキップ情報とは、現在処理中の患者の処方内容情報の処理を中止して、次の患者の処方内容情報の処理を行うことを命令する情報である。
【００１０】
スキップ情報は、レセプトコンピュータから第二受信部へ送信される。
○消灯スイッチとは、ランプに供給する電流が流れている際に、スイッチ押せば、ランプを消灯して、スイッチから指を離せば、電線は導通状態になる自己復旧型スイッチをいう。
【００１１】
ＯＮ−ＯＦＦスイッチＳｉが、薬剤保管場所の奥板部に設けたプラグと、電線Ｉｉに設けたコンセントから構成された自己復旧型スイッチである場合もある。
○電流検知部とは、電流の有無を検知して、電流ありの場合は、電流ＯＮ情報（例えば、１）を、電流なしの場合は、電流ＯＦＦ情報（例えば、０）を、制御システムの第二受信部へ送信する機器をいう。
【００１２】
下記のようなものが例示される。
【００１３】
例えば、電線ｌｉをコイル状にして鉄心に巻いて電磁石MGとし、電磁石MGに鉄片からなるスイッチ片Swを電流Ｉｉを流した時吸着し、電流ＯＮ情報を電流情報Ｉｉｉとして第二受信部に送信する（図７を参照）。電流Ｉｉが流れていない際には、電流ＯＦＦ情報を電流情報Ｉｉｉとして第二受信部に送信する（図７を参照）。
【００１４】
例えば、電線ｌｉの途中に抵抗Ｒを設けて、抵抗Ｒに流れる電流Ｉｉから、抵抗Ｒ部の電圧Ｖ＝ＲＩより、電流Ｉｉが流れている際には、電流ＯＮ情報を第二受信部に送信する（図８を参照）。電流Ｉｉが流れていない際には、電流ＯＦＦ情報を第二受信部に送信する（図８を参照）。
○電流情報Ｉｉｉとは、電線ｌｉの電流Ｉｉの有無を表わす情報をいう。
【００１５】
電線ｌｉの電流Ｉｉを電流検知部Ｄｉが検知した場合、電流ＯＮ情報（例えば、１）を電流情報Ｉｉｉとして与え、電線ｌｉの電流Ｉｉを電流検知部Ｄｉが検知しない場合、電流ＯＦＦ情報（例えば、０）して与え、電流情報Ｉｉｉは第二受信部へ送信される。
○薬剤情報Ｍ１、…、Ｍｉ、…Ｍｎが対応するランプＬＭ１、…、ＬＭｉ、…ＬＭｎを照合探索する方法
制御システムの記憶装置又はＣＰＵ部に、例えば、表１の内容情報が記憶されている。
【００１６】
すなわち、薬剤名ｉは、ランプＬｉ、ＯＮ−ＯＦＦスイッチＳｉに対応している。
【００１７】
レセプトコンピュータから送信される薬剤情報Ｍ１は、薬剤名１、…、薬剤名ｉ、…薬剤名ｎで与えられる。
【００１８】
制御システムの記憶装置又はＣＰＵ部に例えば、表１  対応表で与えられる。
【００１９】
【表１】
0003148358.tif 000003
【００２０】
レセプトコンピュータから送信される薬剤情報は、薬剤名Ｍ１、…、Ｍｉ、…Ｍｎで表される。
【００２１】
ＣＵＰ部で、薬剤情報Ｍ１（薬剤名Ｍ１）が、どのランプ番号、ＯＮ−ＯＦＦスイッチ番号に対応するか表１の照合検索により特定される。
【００２２】
特定されたランプ番号、ＯＮ−ＯＦＦスイッチ番号は、それぞれＬＭ１、ＳＭ１で与えられる。
【００２３】
ＣＵＰ部で、薬剤情報Ｍ１（薬剤名Ｍｉ）が、どのランプ番号、ＯＮ−ＯＦＦスイッチ番号に対応するか表１の照合検索により特定される。
【００２４】
特定されたランプ番号、ＯＮ−ＯＦＦスイッチ番号は、それぞれＬＭｉ、ＳＭｉで与えられる。
【００２５】
ＣＵＰ部で、薬剤情報Ｍｎ（薬剤名Ｍｎ）が、どのランプ番号、ＯＮ−ＯＦＦスイッチ番号に対応するか表１の照合検索により特定される。
【００２６】
特定されたランプ番号、ＯＮ−ＯＦＦスイッチ番号は、それぞれＬＭｎ、ＳＭｎで与えられる。
【００２７】
上記のような手順により、ＬＭ１、…、ＬＭｉ、…ＬＭｎを照合探索し、ランプＬＭ１、…、ＬＭｉ、…ＬＭｎに対応するＯＮ−ＯＦＦスイッチＳＭ１、…、ＳＭｉ、…ＳＭｎをＯＮにすべき旨の情報をスイッチコントローラーへ送信し、スイッチコントローラーは、ランプＬＭ１、…、ＬＭｉ、…ＬＭｎを点灯させる。
【００２８】
上記の手順は、記憶部等に記憶されたコンピュータプログラムにより、コントロールされる。
○ＯＮ−ＯＦＦスイッチＳＭ１、…、ＳＭｉ、…ＳＭｎをＯＮにすべき旨の情報とは、例えば、ＳＭ１、…、ＳＭｉ、…ＳＭｎに対応するスイッチ番号（表１を参照）である。
○Ｌ１、…Ｌｉ、…、Ｌｎｎは、ランプ番号をいう。
○Ｓ’１、…Ｓ’ｉ、…、Ｓ’ｎｎは、消灯スイッチ番号をいう。
○ＤＴ１、…ＤＴｉ、…、ＤＴｎｎは、電流検知部番号をいう。
○ｌ１、…ｌｉ、…、ｌｎｎは、電線番号をいう。
○Ｉ１、…Ｉｉ、…、Ｉｎｎは、ｌ１、…ｌｉ、…、ｌｎｎを流れる電流をいう。
＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊
＜符号の説明＞
○ｎｎは、薬剤保管場所の総数（自然数）である。
○ｎは、患者Ｐｊに処方する薬剤の数（自然数）である。
○Ｄ１、…Ｄｉ、…、Ｄｎｎは、薬剤保管場所番号をいう。
○Ｓ１、…Ｓｉ、…、Ｓｎｎは、ＯＮ−ＯＦＦスイッチ番号をいう。
○Ｓ’１、…Ｓ’ｉ、…、Ｓ’ｎｎは、消灯スイッチ番号をいう。
○ｌ１、…ｌｉ、…、ｌｎｎは、電線番号をいう。
○ｉ１、ｉ２、……ｉｎｎは、電線ｌ１、…ｌｉ、…、ｌｎｎを流れる電流をいう。
＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
薬収納ボックス５０と薬剤保管場所Ｄ１、…Ｄｉ、…、Ｄｎｎと、レセプトコンピュータと、制御システム、ＯＮ−ＯＦＦスイッチＳ１、…Ｓｉ、…、Ｓｎｎ、ランプＬ１、…Ｌｉ、…、Ｌｎｎと消灯スイッチＳ’１、…Ｓ’ｉ、…、Ｓ’ｎｎ、電流検知部Ｄ１、…Ｄｉ、…、Ｄｎｎからなる薬剤収納システムにおいて、薬剤保管場所Ｄｉは、ランプＬｉと消灯スイッチＳ’ｉを有してなり、レセプトコンピュータと制御システム、及び制御システムとＯＮ−ＯＦＦスイッチＳ１、…Ｓｉ、…、Ｓｎｎは、信号線で接続されており、ＯＮ−ＯＦＦスイッチＳｉ、電源Ｅｉ、ランプＬｉ、及び消灯スイッチＳ’ｉが電線ｌｉで接続されており、制御システムは、第一受信部、第二受信部、ＣＰＵ部、スイッチコントローラー、電流検知部からなり、レセプトコンピュータから送信された処方内容情報を第一受信部で受け取り、第一受信部で受け取った処方内容情報はＣＰＵ部に送信され、ＣＰＵ部において、薬剤情報Ｍ１、…、Ｍｉ、…Ｍｎが対応するランプＬＭ１、…、ＬＭｉ、…ＬＭｎを照合探索し、照合探索したランプＬＭ１、…、ＬＭｉ、…ＬＭｎに対応するＯＮ−ＯＦＦスイッチＳＭ１、…、ＳＭｉ、…ＳＭｎをＯＮにすべき旨の情報をスイッチコントローラーへ送信し、スイッチコントローラーは、ランプＬＭ１、…、ＬＭｉ、…ＬＭｎを点灯させることを特徴とする薬剤収納システムである。
【００２９】
ここに、
（１）ｎｎは、薬剤保管場所の総数（自然数）であり、ｎは、患者Ｐｊに処方する薬剤の数（自然数）である。
【００３０】
（２）ｉ＝１、２、……、ｎｎ（自然数）、ｊ＝１、２、……、ｎ（自然数）
（３）処方内容情報は、患者情報Ｐｊと、薬剤情報Ｍ１、…、Ｍｉ、…Ｍｎとからなる。
○第２の考案（請求項２に記載の考案）
上記の課題を解決するための第２の考案（請求項２に記載の考案）は、
消灯スイッチＳ’１、…Ｓ’ｉ、…、Ｓ’ｎｎは、自己復旧型スイッチであることを特徴とする請求項１に記載された薬剤収納システムである。
○第３の考案（請求項３に記載の考案）
上記の課題を解決するための第３の考案（請求項３に記載の考案）は、
（Ａ）電線ｌ１、…ｌｉ、…、ｌｎｎに流れる電流を検出する電流検知部ＤＴ１、…ＤＴｉ、…、ＤＴｎｎは、第二受信部と信号線で接続され、電流検知部ＤＴ１、…ＤＴｉ、…、ＤＴｎｎから送信された電流情報ＩＩ１、…ＩＩｉ、…、ＩＩｎｎを第二受信部で受け取り、第二受信部で受け取った電流情報ＩＩ１、…ＩＩｉ、…、ＩＩｎｎはＣＰＵ部に送信され、電流情報ＩＩ１０、…ＩＩｉ０、…、ＩＩｎｎ０として、記憶部に記憶され、次いで、
（Ｂ）電線ｌ１、…ｌｉ、…、ｌｎｎに流れる電流を検出する電流検知部ＤＴ１、…ＤＴｉ、…、ＤＴｎｎは、第二受信部と信号線で接続され、電流検知部ＤＴ１、…ＤＴｉ、…、ＤＴｎｎから送信された電流情報ＩＩ１、…ＩＩｉ、…、ＩＩｎｎを第二受信部で受け取り、第二受信部で受け取った電流情報ＩＩ１、…ＩＩｉ、…、ＩＩｎｎはＣＰＵ部に送信され、ＩＩｉ０がＯＮ情報で、ＩＩｉがＯＦＦ情報となったＯＮ−ＯＦＦスイッチＳｉを照合検索し、ＯＮ−ＯＦＦスイッチＳｉをＯＮからＯＦＦにし、電流情報ＩＩ１、…ＩＩｉ、…、ＩＩｎｎはＣＰＵ部に送信され、ＩＩ１０、…ＩＩｉ０、…、ＩＩｎｎ０として、記憶部Ｍに記憶され、
（Ｃ）以下（Ｂ）の作業を繰り返すことを特徴とする請求項１〜２のいずれかに記載の薬剤収納システムである。
【００３１】
ここに、
（１）ｎｎは、薬剤保管場所の総数（自然数）であり、ｎは、患者Ｐｊに処方する薬剤の数（自然数）である。
【００３２】
（２）ｉ＝１、２、……、ｎｎ（自然数）、ｊ＝１、２、……、ｎ（自然数）
（３）処方内容情報は、患者情報Ｐｊと、薬剤情報Ｍ１、…、Ｍｉ、…Ｍｎとからなる。
【００３３】
（４）電流情報ＩＩｉは、電流Ｉｉが流れていればＯＮ情報を、電流Ｉｉが流れていなければＯＦＦ情報を与えられる。
○第４の考案（請求項４に記載の考案）
上記の課題を解決するための第４の考案（請求項４に記載の考案）は、
薬剤保管場所が引き出しの場合、ＯＮ−ＯＦＦスイッチＳｉが、引き出しの奥板部に設けたプラグと、電線Ｉｉに設けられたコンセントから構成されるスイッチであることを特徴とする請求項１〜３のいずれかに記載の薬剤収納システム。
○第５の考案（請求項５に記載の考案）
上記の課題を解決するための第５の考案（請求項５に記載の考案）は、
第一受信部で受け取った処方内容情報はＣＰＵ部に送信され、ＣＰＵ部において、患者情報Ｐｊの患者氏名情報を読み取り、表示部へ送信して、表示部で、患者氏名情報を表示させることを特徴とする請求項１〜４のいずれかに記載の薬剤収納システムである。
○第６の考案（請求項６に記載の考案）
上記の課題を解決するための第６の考案（請求項６に記載の考案）は、
ＣＰＵ部において、電流情報ＩＩ１０、…ＩＩｉ０、…、ＩＩｎｎ０の中で、何れか一つがＯＮ情報であり、電流情報ＩＩ１、…ＩＩｉ、…、ＩＩｎｎの全てがＯＦＦ情報となった場合には、表示部で表示された患者氏名を表示しないようにすることを特徴とする請求項１〜５のいずれかに記載の薬剤収納システムである。
○第７の考案（請求項７に記載の考案）
上記の課題を解決するための第７の考案（請求項７に記載の考案）は、
薬剤収納システムを使用開始する際に、ＣＰＵ部において、電流情報ＩＩ１０、…ＩＩｉ０、…、ＩＩｎｎ０の全て、電流情報ＩＩ１、…ＩＩｉ、…、ＩＩｎｎの全てをＯＦＦ情報に設定し、かつ、ＯＮ−ＯＦＦスイッチＳ１、…Ｓｉ、…、Ｓｎｎの全てをＯＦＦにすることを特徴とする請求項１〜６のいずれかに記載の薬剤収納システムである。
○第８の考案（請求項８に記載の考案）
上記の課題を解決するための第８の考案（請求項８に記載の考案）は、
第一受信部で受け取った処方内容情報はＣＰＵ部に送信され、ＣＰＵ部において、処方内容情報のスキップ命令を読み取り、スキップ命令が有る場合、薬剤収納システムを使用開始する際に、ＣＰＵ部において、電流情報ＩＩ１０、…ＩＩｉ０、…、ＩＩｎｎ０の全て、電流情報ＩＩ１、…ＩＩｉ、…、ＩＩｎｎの全てをＯＦＦ情報に設定し、かつ、ＯＮ−ＯＦＦスイッチＳ１、…Ｓｉ、…、Ｓｎｎの全てをＯＦＦにすると共に、次の処方内容情報をレセプトコンピュータから第一受信部へ送信することを特徴とする請求項１〜７のいずれかに記載の薬剤収納システムである。
【考案の効果】
【００３４】
本考案に係る、薬剤収納システムは、上記のような特徴的構成用件から構成され、特徴的構成用件に応じた、以下のような本願考案特有の効果を奏する。
【００３５】
また、上記のような特徴的構成用件から構成された本考案によれば、本願考案の課題を十分解消することができる。
○  第１の考案の効果
第１の考案によれば、
上記の課題を解決するための第１の考案（請求項１に記載の考案）は、
薬収納ボックス５０と薬剤保管場所Ｄ１、…Ｄｉ、…、Ｄｎｎと、レセプトコンピュータと、制御システム、ＯＮ−ＯＦＦスイッチＳ１、…Ｓｉ、…、Ｓｎｎを有するスイッチコントローラーＳＣ、ランプＬ１、…Ｌｉ、…、Ｌｎｎと消灯スイッチＳ’１、…Ｓ’ｉ、…、Ｓ’ｎｎ、電流検知部Ｄ１、…Ｄｉ、…、Ｄｎｎからなる薬剤収納システムにおいて、薬剤保管場所Ｄｉは、ランプＬｉと消灯スイッチＳ’ｉを有してなり、レセプトコンピュータと制御システム、及び制御システムＣＳとスイッチコントローラーＳＣは、信号線で接続されており、ＯＮ−ＯＦＦスイッチＳｉ、電源Ｅｉ、ランプＬｉ、及び消灯スイッチＳ’ｉが電線ｌｉで接続されており、制御システムは、第一受信部、第二受信部、ＣＰＵ部、スイッチコントローラー、電流検知部からなり、レセプトコンピュータから送信された処方内容情報を第一受信部で受け取り、第一受信部で受け取った処方内容情報はＣＰＵ部に送信され、ＣＰＵ部において、薬剤情報Ｍ１、…、Ｍｉ、…Ｍｎが対応するランプＬＭ１、…、ＬＭｉ、…ＬＭｎを照合探索し、照合探索したランプＬＭ１、…、ＬＭｉ、…ＬＭｎに対応するＯＮ−ＯＦＦスイッチＳＭ１、…、ＳＭｉ、…ＳＭｎをＯＮにして、ランプＬＭ１、…、ＬＭｉ、…ＬＭｎを点灯させるという特徴的な構成により、
（１）薬剤の取り間違いや取り忘れの防止を図ることができる。
（２）従来より行っている数名による薬剤の取り間違いがないかの確認作業が削除できことから、人手や時間の削減を図ることが可能となる。
○第２の考案の効果
第２の考案によれば、消灯スイッチＳ’１、…Ｓ’ｉ、…、Ｓ’ｎｎは、自己復旧型スイッチにすることにより、消灯スイッチＳ’ｉを押せば、押している間は、消灯スイッチＳ’ｉはＯＦＦになり、電線Ｉｉを流れる電流は切断状態になり流れなくなり、消灯スイッチから指を離せば、自己復旧して、消灯スイッチＳ’ｉは、ＯＮ状態に復旧する。自己復旧型のスイッチでない場合、消灯スイッチを押した場合、ＯＦＦになったままで、ＯＮ−ＯＦＦスイッチＳｉがＯＮになった場合でも、電線ｌｉに電流が流れないという不都合が生ずるので、かかる不都合を回避するために、消灯スイッチＳ’１、…Ｓ’ｉ、…、Ｓ’ｎｎは、自己復旧型スイッチにしたものである。
【００３６】
なお、消灯スイッチＳ’ｉがＯＦＦになれば、電流検知部ＤＴｉにより、電線Ｉｉに流れる電流がＯＦＦ状態になったことを示す情報がＣＰＵ部において、処理されてＯＮ−ＯＦＦスイッチＳｉをＯＦＦにする。
○第３の考案の効果
第３の考案によれば、（Ａ）電線ｌ１、…ｌｉ、…、ｌｎｎに流れる電流を検出する電流検知部ＤＴ１、…ＤＴｉ、…、ＤＴｎｎは、第二受信部と信号線で接続され、電流検知部ＤＴ１、…ＤＴｉ、…、ＤＴｎｎから送信された電流情報ＩＩ１、…ＩＩｉ、…、ＩＩｎｎを第二受信部で受け取り、第二受信部で受け取った電流情報ＩＩ１、…ＩＩｉ、…、ＩＩｎｎはＣＰＵ部に送信され、電流情報ＩＩ１０、…ＩＩｉ０、…、ＩＩｎｎ０として、記憶部Ｍに記憶され、次いで、
（Ｂ）電線ｌ１、…ｌｉ、…、ｌｎｎに流れる電流を検出する電流検知部ＤＴ１、…ＤＴｉ、…、ＤＴｎｎは、第二受信部と信号線で接続され、電流検知部ＤＴ１、…ＤＴｉ、…、ＤＴｎｎから送信された電流情報ＩＩ１、…ＩＩｉ、…、ＩＩｎｎを第二受信部で受け取り、第二受信部で受け取った電流情報ＩＩ１、…ＩＩｉ、…、ＩＩｎｎはＣＰＵ部に送信され、ＩＩｉ０がＯＮ情報で、ＩＩｉがＯＦＦ情報となったＯＮ−ＯＦＦスイッチＳｉを照合検索し、ＯＮ−ＯＦＦスイッチＳｉをＯＮからＯＦＦにし、電流情報ＩＩ１、…ＩＩｉ、…、ＩＩｎｎはＣＰＵ部に送信され、ＩＩ１０、…ＩＩｉ０、…、ＩＩｎｎ０として、記憶部Ｍに記憶され、
（Ｃ）以下（Ｂ）の作業を繰り返すという特徴的な構成により、当業者が予測不可能な本願考案の第１課題、第２課題を達成するための具体的構成を提供することができた。
【００３７】
すなわち、患者Ｐｊに処方する薬剤の数に相当するＯＮ−ＯＦＦスイッチＳＭ１、…、ＳＭｉ、…ＳＭｎをＯＮにして、電線ｌ１、…、ｌＭｉ、…ｌＭｎに電流を流して、ランプＬＭ１、…、ＬＭｉ、…ＬＭｎを点灯させている。
【００３８】
ＯＮ−ＯＦＦスイッチＳＭ１、…、ＳＭｉ、…ＳＭｎがＯＮになれば、電線ＩＭ１、…、ＩＭｉ、…ＩＭｎの電流は流れるので、電流検知部ＤＭ１、…、ＤＭｉ、…ＤＭｎは、電流を検出することができるので、ＯＮ状態の電流情報ＩＩＭ１０、…、ＩＩＭｉ０、…ＩＩＭｎ０を制御システムに送り、記憶部Ｍに記憶させておく。
【００３９】
ランプＬＭ１、…、ＬＭｉ、…ＬＭｎの点灯している薬剤保管場所から、Ｍ１、…、Ｍｉ、…Ｍｎを取り出して、取り出すと同時に、消灯スイッチＳ’Ｍ１、…、Ｓ’Ｍｉ、…Ｓ’Ｍｎを順次ＯＦＦにする。
【００４０】
消灯スイッチＳ’Ｍ１、…、Ｓ’Ｍｉ、…Ｓ’ＭｎがＯＦＦになれば、電線ＩＭ１、…、ＩＭｉ、…ＩＭｎの電流は０になり、ＤＭ１、…、ＤＭｉ、…ＤＭｎは、電流を検出することができず、ＯＦＦ状態の電流情報ＩＩＭ１、…、ＩＩＭｉ、…ＩＩＭｎを制御システムに送る。
【００４１】
ＩＩＭ１０、…、ＩＩＭｉ０、…ＩＩＭｎ０の全てがＯＮ状態の電流情報であり、順次、ＩＩＭ１、…、ＩＩＭｉ、…ＩＩＭｎがＯＦＦ状態の電流情報となった場合、ＯＦＦ状態の電流情報となったと同時に、順次、電線Ｉｉの消灯スイッチＳ’ｉが押されてＯＦＦ状態になった場合、ＯＮ−ＯＦＦスイッチＳＭ１、…、ＳＭｉ、…ＳＭｎをＯＦＦにしておく。
【００４２】
このようにしておけば、消灯スイッチＳ’Ｍ１、…、Ｓ’Ｍｉ、…Ｓ’Ｍｎから、指が離れ、自動復旧してＯＮ状態に戻ったとしてもｌＭ１、…、ｌＭｉ、…ｌＭｎに電流が流れることはなく、薬剤収納システムを、次の患者の処方内容情報を処理する態勢にすることが可能となる。
○第４の考案の効果
第４の考案によれば、薬剤保管場所が引き出しの場合、ＯＮ−ＯＦＦスイッチＳｉが、引き出しの奥板部に設けたプラグと、電線Ｉｉに設けられたコンセントから構成されるスイッチとしたことにより、消灯スイッチＳｉを指で押してＯＦＦにしなくても、薬剤保管場所である引き出しを引き出して薬剤を取り出せば、自動的に消灯スイッチＳｉをＯＦＦにすることができ、薬剤保管場所である引き出しを元に戻せば、自動的に消灯スイッチＳｉをＯＮにすることができ消灯のＯＮ・ＯＦＦ作業を効率的にすることができる。
【００４３】
また、消灯のＯＦＦ作業をうっかり忘れることを防止することができる。
○第５の考案の効果
第５の考案によれば、第一受信部で受け取った処方内容情報はＣＰＵ部に送信され、ＣＰＵ部において、患者情報Ｐｊの患者氏名情報を読み取り、表示部へ送信して、表示部で、患者氏名情報を表示させることにより、ＣＰＵ部で処理している処方内容情報の患者氏名を知ることができ、
（１）薬剤の取り間違いや取り忘れの防止を図ることができる。
（２）従来より行っている数名による薬剤の取り間違いがないかの確認作業が削除できことから、人手や時間の削減を図ることが可能となる。
○第６の考案の効果
第６の考案によれば、ＣＰＵ部において、電流情報ＩＩ１０、…ＩＩｉ０、…、ＩＩｎｎ０の中で、何れか一つがＯＮ情報であり、電流情報ＩＩ１、…ＩＩｉ、…、ＩＩｎｎの全てがＯＦＦ情報となった場合には、表示部で表示された患者氏名を表示しないようにすることにより、表示された患者氏名の処方内容情報の処理が終了したことを知ることが可能となる当業者が予期し得ない顕著な効果を発揮することができる。
○第７の考案の効果
第７の考案によれば、薬剤収納システムを使用開始する際に、ＣＰＵ部において、電流情報ＩＩ１０、…ＩＩｉ０、…、ＩＩｎｎ０の全て、電流情報ＩＩ１、…ＩＩｉ、…、ＩＩｎｎの全てをＯＦＦ情報に設定し、かつ、ＯＮ−ＯＦＦスイッチＳ１、…Ｓｉ、…、Ｓｎｎの全てをＯＦＦにすることにより、薬剤収納システムを使用し始める際の電流情報とＯＮ−ＯＦＦスイッチＳ１、…Ｓｉ、…、Ｓｎｎの初期状態をＯＦＦ情報に設定して、誤動作を防止して、薬剤収納システムの信頼性向上を図ることができた。
○第８の考案の効果
第８の考案によれば、第一受信部で受け取った処方内容情報はＣＰＵ部に送信され、ＣＰＵ部において、処方内容情報のスキップ命令を読み取り、スキップ命令が有る場合、電流情報ＩＩ１０、…ＩＩｉ０、…、ＩＩｎｎ０の全て、電流情報ＩＩ１、…ＩＩｉ、…、ＩＩｎｎの全てをＯＦＦ情報に設定し、かつ、ＯＮ−ＯＦＦスイッチＳ１、…Ｓｉ、…、Ｓｎｎの全てをＯＦＦにすると共に、次の処方内容情報をレセプトコンピュータから第一受信部へ送信することにより、患者の処方内容情報の処理すべき順番を代えて処理することができ柔軟に対応できる薬剤収納システムを提供することができた。
【考案を実施するための最良の形態】
【００４４】
以下、本考案に係る薬剤収納システムに関する好適な実施形態について、図面を参照しながら説明する。
【００４５】
図１は、従来の薬棚（本考案の薬収納ボックスに相当する。）の構成図である。
【００４６】
図２は、本考案の薬剤収納システムの概略構成図である。
【００４７】
図３は、本考案のシステム構成図である。
【００４８】
図４は、本考案に係る、電流Ｉｉの電流回路構成図である。
【００４９】
図５は、本考案に係る、消灯スイッチＳ’ｉの模色図である。
【００５０】
図６は、本考案に係る、消灯スイッチＳ’ｉの一例を示す図である。
【００５１】
図７は、本考案に係る、電流検知部の一例を示す図である。
【００５２】
図８は、本考案に係る、電流検知部の一例を示す図である。
＊＊＊＊＊＊＊＊＊＊＊＊＊＊＊＊＊＊＊＊＊＊＊＊＊＊＊＊＊＊＊＊＊＊＊
図１は、従来の薬棚（本考案の薬収納ボックスに相当する。）の構成図を示している。図1（a）は、薬棚の全体図を、図1（b）は、薬剤保管場所（例えば、箱型のボックス棚、引き出し等）の拡大図を示す。
【００５３】
薬棚の全体図を薬棚は、多数の薬剤保管場所から構成されており、各薬剤保管場所には、薬剤が収納される。各薬剤保管場所には、収納される薬剤名が、標示されている。薬剤保管場所に収納される薬剤は、一種類の場合と、多種類の場合がある。多種類の薬剤を収納用の薬剤保管場所は大きな薬剤保管場所となっている。
【００５４】
従来の場合、薬剤を取り出す際には、薬剤保管場所に記載されている薬剤名を人が確認して取り出している。
（１）薬剤名を確認するだけで薬棚から薬剤を取り出しているので、例えば、「アムロジン（登録商標．大日本住友製薬株式会社）２．５ｍｇ錠」と「アムロジン（登録商標．大日本住友製薬株式会社）５ｍｇ錠」のように薬剤名が同じでも成分含有量の違う薬剤の取り間違いを起こすおそれが有る。
（２）薬剤を取り出した後、患者に渡すまでの間に数人で確認作業を行っていることから、それに要する手間も時間も掛かっている。
【００５５】
何よりも有ってはならない薬剤の取り間違いを防ぐ薬剤収納システムの提供が期待されていた。
【００５６】
さらに、現状の余分な人手や時間の削減を図ることが可能な薬剤収納システムの提供が期待されていた。
【００５７】
そこで、考案者等は鋭意工夫を凝らして、本考案を完成させた。
＊＊＊＊＊＊＊＊＊＊＊＊＊＊＊＊＊＊＊＊＊＊＊＊＊＊＊＊＊＊＊＊＊＊＊
図２は、本考案の薬剤収納システムの概略構成図を示している。
【００５８】
本考案の薬剤収納システム１００は、レセプトコンピュータＲＣと制御システムＣＳと薬収納ボックス５０から主として構成されている。
＊＊＊＊＊＊＊＊＊＊＊＊＊＊＊＊＊＊＊＊＊＊＊＊＊＊＊＊＊＊＊＊＊＊＊
図３は、本考案の薬剤収納システムの詳細構成図を示している。
【００５９】
図４は、本考案に係る、電流Ｉｉの電流回路構成図を示している。
【００６０】
図３及び図４を参照しながら、以下、本考案の薬剤収納システム１００を説明する。
【００６１】
本考案の薬剤収納システム１００は、薬収納ボックス５０と薬剤保管場所Ｄ１、…Ｄｉ、…、Ｄｎｎと、レセプトコンピュータＲＣと、制御システムＣＳ、ＯＮ−ＯＦＦスイッチＳ１、…Ｓｉ、…、Ｓｎｎを有するスイッチコントローラーＳＣ、ランプＬ１、…Ｌｉ、…、Ｌｎｎと消灯スイッチＳ’１、…Ｓ’ｉ、…、Ｓ’ｎｎ、電流検知部Ｄ１、…Ｄｉ、…、Ｄｎｎからなる。
【００６２】
上記薬剤収納システム１００において、
（ａ）薬剤保管場所Ｄｉは、ランプＬｉと消灯スイッチＳ’ｉを有してなり、レセプトコンピュータＲＣと制御システムＣＳ、及び制御システムＣＳとスイッチコントローラーＳＣは、信号線で接続されている。
（ｂ）ＯＮ−ＯＦＦスイッチＳｉ、電源Ｅｉ、ランプＬｉ、及び消灯スイッチＳ’ｉが電線ｌｉで接続されている。
（ｃ）制御システムＣＳは、第一受信部Ｒ１、第二受信部Ｒ２、ＣＰＵ部ＣＰＵ、スイッチコントローラーSC、電流検知部ＤＴ１、ＤＴ２、……ＤＴｎからなり、レセプトコンピュータＲＣから送信された処方内容情報を第一受信部Ｒ１で受け取り、第一受信部Ｒ１で受け取った処方内容情報はＣＰＵ部ＣＰＵに送信され、ＣＰＵ部ＣＰＵにおいて、薬剤情報Ｍ１、…、Ｍｉ、…Ｍｎが対応するランプＬＭ１、…、ＬＭｉ、…ＬＭｎを照合探索し、照合探索したランプＬＭ１、…、ＬＭｉ、…ＬＭｎに対応するＯＮ−ＯＦＦスイッチＳＭ１、…、ＳＭｉ、…ＳＭｎをＯＮにすべき旨の情報をスイッチコントローラーＳＣへ送信し、スイッチコントローラーＳＣは、ランプＬＭ１、…、ＬＭｉ、…ＬＭｎを点灯させることを特徴としている。
【００６３】
ここに、
（１）ｎｎは、薬剤保管場所の総数（自然数）であり、ｎは、患者Ｐｊに処方する薬剤の数（自然数）である。
【００６４】
（２）ｉ＝１、２、……、ｎｎ（自然数）
（３）処方内容情報は、患者情報Ｐｊと、薬剤情報Ｍ１、…、Ｍｉ、…Ｍｎとからなる。
＊＊＊＊＊＊＊＊＊＊＊＊＊＊＊＊＊＊＊＊＊＊＊＊＊＊＊＊＊＊＊＊＊＊＊
上記薬剤収納システム１００において、
消灯スイッチＳ’１、…Ｓ’ｉ、…、Ｓ’ｎｎは、自己復旧型スイッチであることを特徴としている（図５を参照）。
（ａ）図５において、消灯スイッチＳ’ｉが端子に接続されており、ランプＬｉが点灯している（図５（ａ）を参照）。
（ｂ）消灯スイッチＳ’ｉを指で矢印Ｐ方向に押して電流回路をＯＦＦにしてランプＬｉを消灯する（図５（ｂ）を参照）。
【００６５】
消灯スイッチＳ’ｉにより、電流回路がＯＦＦになれば、電流回路の電流Ｉｉを電流検知部ＤＴｉが電流ＯＦＦ情報を制御システムＣＳの第二受信部Ｒ２へ送信する。
【００６６】
制御システムＣＳは、電流Ｉｉの電流ＯＦＦ情報を受信して、電流Ｉｉが電流ＯＮから電流ＯＦＦになったことを確認して、スイッチＳｉをＯＦＦにする。ランプＬｉは消灯したままの状態を保持する。
（ｃ）消灯スイッチＳ’１、…Ｓ’ｉ、…、Ｓ’ｎｎは、バネｋを有する自己復旧型スイッチであることより、消灯スイッチＳ’ｉは、指を離すとバネｋの反発力Qにより電流回路は導通するが、スイッチＳｉがＯＮになるまで、ランプＬｉは消灯したままの状態を保持する。（図５（ｃ）を参照）。
＊＊＊＊＊＊＊＊＊＊＊＊＊＊＊＊＊＊＊＊＊＊＊＊＊＊＊＊＊＊＊＊＊＊＊
上記薬剤収納システム１００において、
（Ａ）電線ｌ１、…ｌｉ、…、ｌｎｎに流れる電流を検出する電流検知部ＤＴ１、…ＤＴｉ、…、ＤＴｎｎは、第二受信部Ｒ２と信号線で接続され、電流検知部ＤＴ１、…ＤＴｉ、…、ＤＴｎｎから送信された電流情報ＩＩ１、…ＩＩｉ、…、ＩＩｎｎを第二受信部Ｒ２で受け取り、第二受信部で受け取った電流情報ＩＩ１、…ＩＩｉ、…、ＩＩｎｎはＣＰＵ部ＣＰＵに送信され、電流情報ＩＩ１０、…ＩＩｉ０、…、ＩＩｎｎ０として、記憶部Ｍに記憶され、次いで、
（Ｂ）電線ｌ１、…ｌｉ、…、ｌｎｎに流れる電流を検出する電流検知部ＤＴ１、…ＤＴｉ、…、ＤＴｎｎは、第二受信部Ｒ２と信号線で接続され、電流検知部ＤＴ１、…ＤＴｉ、…、ＤＴｎｎから送信された電流情報ＩＩ１、…ＩＩｉ、…、ＩＩｎｎを第二受信部Ｒ２で受け取り、第二受信部で受け取った電流情報ＩＩ１、…ＩＩｉ、…、ＩＩｎｎはＣＰＵ部ＣＰＵに送信され、ＩＩｉ０がＯＮ情報で、ＩＩｉがＯＦＦ情報となったＯＮ−ＯＦＦスイッチＳｉを照合検索し、ＯＮ−ＯＦＦスイッチＳｉをＯＮからＯＦＦにし、電流情報ＩＩ１、…ＩＩｉ、…、ＩＩｎｎはＣＰＵ部ＣＰＵに送信され、ＩＩ１０、…ＩＩｉ０、…、ＩＩｎｎ０として、記憶部Ｍに記憶され、
（Ｃ）以下（Ｂ）の作業を繰り返すことを特徴としている。
【００６７】
ここに、
（１）ｎｎは、薬剤保管場所の総数（自然数）であり、ｎは、患者Ｐｊに処方する薬剤の数（自然数）である。
【００６８】
（２）ｉ＝１、２、……、ｎｎ（自然数）
（３）処方内容情報は、患者情報Ｐｊと、薬剤情報Ｍ１、…、Ｍｉ、…Ｍｎとからなる。
【００６９】
（４）電流情報ＩＩｉは、電流Ｉｉが流れていればＯＮ情報を、電流Ｉｉが流れていなければＯＦＦ情報を与えられる。
＊＊＊＊＊＊＊＊＊＊＊＊＊＊＊＊＊＊＊＊＊＊＊＊＊＊＊＊＊＊＊＊＊＊＊
上記薬剤収納システム１００において、
薬剤保管場所が引き出しである場合、引き出しの奥板部にプラグを設け、電線Ｉｉにコンセントを設けて、消灯スイッチＳ’ｉを構成したことを特徴としている（図６を参照）。
【００７０】
消灯スイッチＳ’ｉは、自己復旧型スイッチであることを必要とするが、上記の構成にすることにより、自己復旧型スイッチであることが必然的に保証される。
【００７１】
薬剤保管場所である引き出しＤｉを薬収納ボックス５０から抜き出せば、コンセントから引き出しの奥板部に設置したプラグが引き抜かれてＯＦＦとなり、ランプＬｉは消灯する。電流回路がＯＦＦになれば、電流回路の電流Ｉｉを電流検知部ＤＴｉが電流ＯＦＦ情報を制御システムＣＳの第二受信部Ｒ２へ送信する。制御システムＣＳは、電流Ｉｉの電流ＯＦＦ情報を受信して、電流Ｉｉが電流ＯＮから電流ＯＦＦになったことを確認して、スイッチＳｉをＯＦＦにする。ランプＬｉは消灯したままの状態を保持する。
【００７２】
引き出しＤｉに収納されている薬剤を取り出した後に、引き出しＤｉを薬棚に元通り収納すると、引き出しの奥板部に設置したプラグは、コンセントに挿入され、電線回路は導通することになる。しかし、スイッチＳｉがＯＮになるまで、ランプＬｉは消灯したままの状態を保持する。
【００７３】
以上については、図５をも参照のこと。
＊＊＊＊＊＊＊＊＊＊＊＊＊＊＊＊＊＊＊＊＊＊＊＊＊＊＊＊＊＊＊＊＊＊＊
上記薬剤収納システム１００において、
第一受信部で受け取った処方内容情報はＣＰＵ部ＣＰＵに送信され、ＣＰＵ部ＣＰＵにおいて、患者情報Ｐｊの患者氏名情報を読み取り、表示部ＤＰへ送信して、表示部ＤＰで、患者氏名情報を表示させることを特徴としている。
＊＊＊＊＊＊＊＊＊＊＊＊＊＊＊＊＊＊＊＊＊＊＊＊＊＊＊＊＊＊＊＊＊＊＊
上記薬剤収納システム１００において、
ＣＰＵ部ＣＰＵにおいて、電流情報ＩＩ１０、…ＩＩｉ０、…、ＩＩｎｎ０の中で、何れか一つがＯＮ情報であり、電流情報ＩＩ１、…ＩＩｉ、…、ＩＩｎｎの全てがＯＦＦ情報となった場合には、表示部ＤＰで表示された患者氏名を表示しないようにすることを特徴としている。
＊＊＊＊＊＊＊＊＊＊＊＊＊＊＊＊＊＊＊＊＊＊＊＊＊＊＊＊＊＊＊＊＊＊＊
上記薬剤収納システム１００において、
薬剤収納システムを使用開始する際に、ＣＰＵ部ＣＰＵにおいて、電流情報ＩＩ１０、…ＩＩｉ０、…、ＩＩｎｎ０の全て、電流情報ＩＩ１、…ＩＩｉ、…、ＩＩｎｎの全てをＯＦＦ情報に設定し、かつ、ＯＮ−ＯＦＦスイッチＳ１、…Ｓｉ、…、Ｓｎｎの全てをＯＦＦにすることを特徴としている。
＊＊＊＊＊＊＊＊＊＊＊＊＊＊＊＊＊＊＊＊＊＊＊＊＊＊＊＊＊＊＊＊＊＊＊
上記薬剤収納システム１００において、
第一受信部で受け取った処方内容情報はＣＰＵ部ＣＰＵに送信され、ＣＰＵ部ＣＰＵにおいて、処方内容情報のスキップ命令を読み取り、スキップ命令が有る場合、電流情報ＩＩ１０、…ＩＩｉ０、…、ＩＩｎｎ０の全て、電流情報ＩＩ１、…ＩＩｉ、…、ＩＩｎｎの全てをＯＦＦ情報に設定し、かつ、ＯＮ−ＯＦＦスイッチＳ１、…Ｓｉ、…、Ｓｎｎの全てをＯＦＦにすると共に、次の処方内容情報をレセプトコンピュータＲＣから第一受信部へ送信することを特徴としている。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜制御システムＣＳのフローチャート＞
薬剤収納システムの制御システムは、以下のフローチャート手順に従って、情報処理を行い、ＯＮ−ＯＦＦスイッチＳｉの開閉を行なう。
（１．１）処方内容情報を第一受信部で受け取る。
（１．２）処方内容情報をＣＰＵ部へ送信する。
（１．３）ＣＰＵ部で患者情報を読み取り、表示部ＤＰへ送って表示させる。
（２．１）電流検知部ＤＴ１、…ＤＴｉ、…、ＤＴｎｎにより、電線ｌ１、…ｌｉ、…、ｌｎｎに流れる電流を検出する。
（２．２）電流情報ＩＩ１、…ＩＩｉ、…、ＩＩｎｎを第二受信部が受け取る。
（２．３）第二受信部で受け取った電流情報ＩＩ１、…ＩＩｉ、…、ＩＩｎｎはＣＰＵ部に送信される。
（２．４）電流情報ＩＩ１０、…ＩＩｉ０、…、ＩＩｎｎ０とし、記憶部Ｍに記憶される。
＊＊＊＊＊＊＊＊＊＊＊＊＊＊＊＊＊＊＊＊＊＊＊＊＊＊＊＊＊＊＊＊＊＊＊
（３．１）電流検知部ＤＴ１、…ＤＴｉ、…、ＤＴｎｎが、電線ｌ１、…ｌｉ、…、ｌｎｎに流れる電流を検出する。
（３．２）電流情報ＩＩ１、…ＩＩｉ、…、ＩＩｎｎを第二受信部が受け取る。
（３．３）第二受信部で受け取った電流情報ＩＩ１、…ＩＩｉ、…、ＩＩｎｎはＣＰＵ部に送信される。
（３．４）電流情報ＩＩ１０、…ＩＩｉ０、…、ＩＩｎｎ０とし、記憶部Ｍに記憶される。
（３．５）ＩＩｉ０がＯＮ情報で、ＩＩｉがＯＦＦ情報となったＯＮ−ＯＦＦスイッチＳｉを照合検索する。
（３．６）照合検索されたＯＮ−ＯＦＦスイッチＳｉをＯＮからＯＦＦにする。
＊＊＊＊＊＊＊＊＊＊＊＊＊＊＊＊＊＊＊＊＊＊＊＊＊＊＊＊＊＊＊＊＊＊＊
（４．１）スキップ命令が有るか否かを判断する。
スキップ命令が有れば、上記（１．１）にスキップする。
スキップ命令が無ければ、以下の作業を行う。
（４．２）以下、上記（２．１）に戻り、上記（４．１）までの作業を繰り返す。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○第１の考案の効果
第１の考案によれば、
上記の課題を解決するための第１の考案（請求項１に記載の考案）は、
薬収納ボックス５０と薬剤保管場所Ｄ１、…Ｄｉ、…、Ｄｎｎと、レセプトコンピュータＲＣと、制御システムＣＳ、ＯＮ−ＯＦＦスイッチＳ１、…Ｓｉ、…、Ｓｎｎ、ランプＬ１、…Ｌｉ、…、Ｌｎｎと消灯スイッチＳ’１、…Ｓ’ｉ、…、Ｓ’ｎｎ、電流検知部Ｄ１、…Ｄｉ、…、Ｄｎｎからなる薬剤収納システムにおいて、薬剤保管場所Ｄｉは、ランプＬｉと消灯スイッチＳ’ｉを有してなり、レセプトコンピュータＲＣと制御システムＣＳ、及び制御システムＣＳとＯＮ−ＯＦＦスイッチＳ１、…Ｓｉ、…、Ｓｎｎは、信号線で接続されており、ＯＮ−ＯＦＦスイッチＳｉ、電源Ｅｉ、ランプＬｉ、及び消灯スイッチＳ’ｉが電線ｌｉで接続されており、制御システムＣＳは、第一受信部Ｒ１、第二受信部Ｒ２、ＣＰＵ部ＣＰＵ、スイッチコントローラーSC、電流検知部ＤＴ１、ＤＴ２、……ＤＴｎからなり、レセプトコンピュータＲＣから送信された処方内容情報を第一受信部Ｒ１で受け取り、第一受信部Ｒ１で受け取った処方内容情報はＣＰＵ部ＣＰＵに送信され、ＣＰＵ部ＣＰＵにおいて、薬剤情報Ｍ１、…、Ｍｉ、…Ｍｎが対応するランプＬＭ１、…、ＬＭｉ、…ＬＭｎを照合探索し、照合探索したランプＬＭ１、…、ＬＭｉ、…ＬＭｎに対応するＯＮ−ＯＦＦスイッチＳＭ１、…、ＳＭｉ、…ＳＭｎをＯＮにして、ランプＬＭ１、…、ＬＭｉ、…ＬＭｎを点灯させるという特徴的な構成により、
（１）薬剤の取り間違いや取り忘れの防止を図ることができる。
（２）従来より行っている数名による薬剤の取り間違いがないかの確認作業が削除できことから、人手や時間の削減を図ることが可能となる。
○第２の考案の効果
第２の考案によれば、消灯スイッチＳ’１、…Ｓ’ｉ、…、Ｓ’ｎｎは、自己復旧型スイッチにすることにより、消灯スイッチＳ’ｉを押せば、押している間は、消灯スイッチＳ’ｉはＯＦＦになり、電線Ｉｉを流れる電流は切断状態になり流れなくなり、消灯スイッチから指を離せば、自己復旧して、消灯スイッチＳ’ｉは、ＯＮ状態に復旧する。自己復旧型のスイッチでない場合、消灯スイッチを押した場合、ＯＦＦになったままで、ＯＮ−ＯＦＦスイッチＳｉがＯＮになった場合でも、電線ｌｉに電流が流れないという不都合が生ずるので、かかる不都合を回避するために、消灯スイッチＳ’１、…Ｓ’ｉ、…、Ｓ’ｎｎは、自己復旧型スイッチにしたものである。
【００７４】
なお、消灯スイッチＳ’ｉがＯＦＦになれば、電流検知部ＤＴｉにより、電線Ｉｉに流れる電流がＯＦＦ状態になったことを示す情報がＣＰＵ部ＣＰＵにおいて、処理されてＯＮ−ＯＦＦスイッチＳｉをＯＦＦにする。
○第３の考案の効果
第３の考案によれば、（Ａ）電線ｌ１、…ｌｉ、…、ｌｎｎに流れる電流を検出する電流検知部ＤＴ１、…ＤＴｉ、…、ＤＴｎｎは、第二受信部Ｒ２と信号線で接続され、電流検知部ＤＴ１、…ＤＴｉ、…、ＤＴｎｎから送信された電流情報ＩＩ１、…ＩＩｉ、…、ＩＩｎｎを第二受信部Ｒ２で受け取り、第二受信部Ｒ２で受け取った電流情報ＩＩ１、…ＩＩｉ、…、ＩＩｎｎはＣＰＵ部ＣＰＵに送信され、電流情報ＩＩ１０、…ＩＩｉ０、…、ＩＩｎｎ０として、記憶部Ｍに記憶され、次いで、
（Ｂ）電線ｌ１、…ｌｉ、…、ｌｎｎに流れる電流を検出する電流検知部ＤＴ１、…ＤＴｉ、…、ＤＴｎｎは、第二受信部Ｒ２と信号線で接続され、電流検知部ＤＴ１、…ＤＴｉ、…、ＤＴｎｎから送信された電流情報ＩＩ１、…ＩＩｉ、…、ＩＩｎｎを第二受信部Ｒ２で受け取り、第二受信部Ｒ２で受け取った電流情報ＩＩ１、…ＩＩｉ、…、ＩＩｎｎはＣＰＵ部ＣＰＵに送信され、ＩＩｉ０がＯＮ情報で、ＩＩｉがＯＦＦ情報となったＯＮ−ＯＦＦスイッチＳｉを照合検索し、ＯＮ−ＯＦＦスイッチＳｉをＯＮからＯＦＦにし、電流情報ＩＩ１、…ＩＩｉ、…、ＩＩｎｎはＣＰＵ部ＣＰＵに送信され、ＩＩ１０、…ＩＩｉ０、…、ＩＩｎｎ０として、記憶部Ｍに記憶され、
（Ｃ）以下（Ｂ）の作業を繰り返すという特徴的な構成により、当業者が予測不可能な本願考案の第１課題、第２課題を達成するための具体的構成を提供することができた。
【００７５】
すなわち、患者Ｐｊに処方する薬剤の数に相当するＯＮ−ＯＦＦスイッチＳＭ１、…、ＳＭｉ、…ＳＭｎをＯＮにして、電線ｌ１、…、ｌＭｉ、…ｌＭｎに電流を流して、ランプＬＭ１、…、ＬＭｉ、…ＬＭｎを点灯させている。
【００７６】
ＯＮ−ＯＦＦスイッチＳＭ１、…、ＳＭｉ、…ＳＭｎがＯＮになれば、電線ＩＭ１、…、ＩＭｉ、…ＩＭｎの電流は流れるので、電流検知部ＤＭ１、…、ＤＭｉ、…ＤＭｎは、電流を検出することができるので、ＯＮ状態の電流情報ＩＩＭ１０、…、ＩＩＭｉ０、…ＩＩＭｎ０を制御システムＣＳに送り、記憶部Ｍに記憶させておく。
【００７７】
ランプＬＭ１、…、ＬＭｉ、…ＬＭｎの点灯している薬剤保管場所から、Ｍ１、…、Ｍｉ、…Ｍｎを取り出して、取り出すと同時に、消灯スイッチＳ’Ｍ１、…、Ｓ’Ｍｉ、…Ｓ’Ｍｎを順次ＯＦＦにする。
【００７８】
消灯スイッチＳ’Ｍ１、…、Ｓ’Ｍｉ、…Ｓ’ＭｎがＯＦＦになれば、電線ＩＭ１、…、ＩＭｉ、…ＩＭｎの電流は０になり、ＤＭ１、…、ＤＭｉ、…ＤＭｎは、電流を検出することができず、ＯＦＦ状態の電流情報ＩＩＭ１、…、ＩＩＭｉ、…ＩＩＭｎを制御システムＣＳに送る。
【００７９】
ＩＩＭ１０、…、ＩＩＭｉ０、…ＩＩＭｎ０の全てがＯＮ状態の電流情報であり、順次、ＩＩＭ１、…、ＩＩＭｉ、…ＩＩＭｎがＯＦＦ状態の電流情報となった場合、ＯＦＦ状態の電流情報となったと同時に、順次、電線Ｉｉの消灯スイッチＳ’ｉが押されてＯＦＦ状態になった場合、ＯＮ−ＯＦＦスイッチＳＭ１、…、ＳＭｉ、…ＳＭｎをＯＦＦにしておく。
【００８０】
このようにしておけば、消灯スイッチＳ’Ｍ１、…、Ｓ’Ｍｉ、…Ｓ’Ｍｎから、指が離れ、自動復旧してＯＮ状態に戻ったとしてもｌＭ１、…、ｌＭｉ、…ｌＭｎに電流が流れることはなく、薬剤収納システムを、次の患者の処方内容情報を処理する態勢にするが可能である。
○第４の考案の効果
第４の考案によれば、薬剤保管場所である引き出しＤｉの奥板部にプラグを設け、電線Ｉｉｉに電線Ｉｉｉコンセントを設けて、消灯スイッチＳｉを構成したことにより、消灯スイッチＳｉを指で押してＯＦＦにしなくても、薬剤の入った引き出しＤｉを引き出して、薬剤を取り出せば、自動的に消灯スイッチＳｉをＯＦＦにすることができ、引き出しＤｉを元に戻せば、自動的に消灯スイッチＳｉをＯＮにすることができ消灯のＯＮ・ＯＦＦ作業を効率的にすることができる。
【００８１】
また、消灯のＯＦＦ作業をうっかり忘れることを防止することができる。
○第５の考案の効果
第５の考案によれば、第一受信部Ｒ１で受け取った処方内容情報はＣＰＵ部ＣＰＵに送信され、ＣＰＵ部ＣＰＵにおいて、患者情報Ｐｊの患者氏名情報を読み取り、表示部ＤＰへ送信して、表示部ＤＰで、患者氏名情報を表示させることにより、ＣＰＵ部ＣＰＵで処理している処方内容情報の患者氏名を知ることができ、
（１）薬剤の取り間違いや取り忘れの防止を図ることができる。
（２）従来より行っている数名による薬剤の取り間違いがないかの確認作業が削除できことから、人手や時間の削減を図ることが可能となる。
○第６の考案の効果
第６の考案によれば、ＣＰＵ部ＣＰＵにおいて、電流情報ＩＩ１０、…ＩＩｉ０、…、ＩＩｎｎ０の中で、何れか一つがＯＮ情報であり、電流情報ＩＩ１、…ＩＩｉ、…、ＩＩｎｎの全てがＯＦＦ情報となった場合には、表示部ＤＰで表示された患者氏名を表示しないようにすることにより、表示された患者氏名の処方内容情報の処理が終了したことを知ることが可能となる当業者が予期し得ない顕著な効果を発揮することができる。
○第７の考案の効果
第７の考案によれば、薬剤収納システム１００を使用開始する際に、ＣＰＵ部ＣＰＵにおいて、電流情報ＩＩ１０、…ＩＩｉ０、…、ＩＩｎｎ０の全て、電流情報ＩＩ１、…ＩＩｉ、…、ＩＩｎｎの全てをＯＦＦ情報に設定し、かつ、ＯＮ−ＯＦＦスイッチＳ１、…Ｓｉ、…、Ｓｎｎの全てをＯＦＦにすることにより、薬剤収納システムを使用開始  する際の電流情報とＯＮ−ＯＦＦスイッチＳ１、…Ｓｉ、…、Ｓｎｎの初期状態をＯＦＦ情報に設定して、誤動作を防止して、薬剤収納システムの信頼性向上を図ることができた。
○第８の考案の効果
第８の考案によれば、第一受信部Ｒ１で受け取った処方内容情報はＣＰＵ部ＣＰＵに送信され、ＣＰＵ部ＣＰＵにおいて、処方内容情報のスキップ命令を読み取り、スキップ命令が有る場合、電流情報ＩＩ１０、…ＩＩｉ０、…、ＩＩｎｎ０の全て、電流情報ＩＩ１、…ＩＩｉ、…、ＩＩｎｎの全てをＯＦＦ情報に設定し、かつ、ＯＮ−ＯＦＦスイッチＳ１、…Ｓｉ、…、Ｓｎｎの全てをＯＦＦにすると共に、次の処方内容情報をレセプトコンピュータＲＣから第一受信部Ｒ１を送信することにより、患者の処方内容情報の処理すべき順番を代えて処理することができ柔軟に対応できる薬剤収納システムを提供することができた。
【図面の簡単な説明】
【００８２】
【図１】従来の薬棚（本考案の薬収納ボックスに相当する。）の構成図である。
【図２】本考案の薬剤収納システムの概略構成図である。
【図３】本考案のシステム構成図である。
【図４】本考案に係る、電流Ｉｉの電流回路構成図である。
【図５】本考案に係る、消灯スイッチＳ’ｉの模式図である。
【図６】本考案に係る、消灯スイッチＳ’ｉの一例を示す図である。
【図７】本考案に係る、電流検知部の一例を示す図である。
【図８】本考案に係る、電流検知部の一例を示す図である。
【符号の説明】
【００８３】
１００                              薬剤収納システム
５０                                薬収納ボックス、薬棚
ＣＳ                                制御システム
Ｒ１                                第一受信部
Ｒ２                                第二受信部
ＣＰＵ                              ＣＰＵ部
Ｍ                                  記憶部
ＤＰ                                表示部
ＳＣ                                スイッチコントローラー
ＤＴ１、ＤＴ２、……ＤＴｎｎ        電流検知部
Ｌ１、Ｌ２、……Ｌｎｎ              ランプ（ＬＥＤランプ）
Ｓ’１、Ｓ’２、……Ｓ’ｎｎ        消灯スイッチ
ｌ１、ｌ２、……ｌｎｎ              電線
ＭＧ                                電磁石
Ｓｗ                                スイッチ片
【図１】
0003148358.tif 000004
【図２】
0003148358.tif 000005
【図３】
0003148358.tif 000006
【図４】
0003148358.tif 000007
【図５】
0003148358.tif 000008
【図６】
0003148358.tif 000009
【図７】
0003148358.tif 000010
【図８】
0003148358.tif 000011